(57)【特許請求の範囲】
【請求項１】
エンジンとトランスミッションとの間に配置され、回転側の外輪と、静止側の内輪と、前記外輪と前記内輪との間に介在されたボールと、エンジン側およびトランスミッション側のシール部材とを備え、この両シール部材の外径端部が前記外輪の内面に固定されると共に内径端部が前記内輪の外面に接触して、前記外輪と前記内輪との間を密封し、前記外輪および前記内輪が、それぞれ、エンジン側端部に径方向内側に延びる鍔部を有するクラッチレリーズ軸受装置用玉軸受であって、
前記エンジン側のシール部材の内径端部は、前記内輪の鍔部の外端面に軸方向に接触すると共に、前記トランスミッション側のシール部材の内周面は、軸受内部側に位置する最内径部が前記内輪の外面に径方向で線接触し、前記最内径部から軸方向に沿って軸受外部側へ延び、前記最内径部から軸受外部側端部に亙って、シール部材の内径寸法を連続的に増大させる拡径領域が設けられ、前記内輪がトランスミッション側端部に径方向外側に延設された鍔部を有し、その鍔部と対向する前記トランスミッション側のシール部材の対向面に、軸受外部側に突出する凸部が設けられ、対向する前記鍔部との間に径方向に延びる隙間が形成されていることを特徴とするクラッチレリーズ軸受装置用玉軸受。
【請求項２】
前記拡径領域は、トランスミッション側のシール部材の内径寸法を軸受内部側から軸受外部側へ増大させる拡径部と、軸方向と並行して延びる直線部とで構成されている請求項１に記載のクラッチレリーズ軸受装置用玉軸受。
【請求項３】
前記拡径領域は、トランスミッション側のシール部材の内径寸法を軸受内部側から軸受外部側へ増大させる拡径部のみで構成されている請求項１に記載のクラッチレリーズ軸受装置用玉軸受。
【請求項４】
前記拡径部は、テーパ形状である請求項２又は３に記載のクラッチレリーズ軸受装置用玉軸受。
【請求項５】
前記凸部の内周面は、その内径寸法を軸受内部側端部から軸受外部側端部に亙って拡径させるテーパ形状である請求項１〜４のいずれか一項に記載のクラッチレリーズ軸受装置用玉軸受。
【発明の詳細な説明】
【技術分野】
【０００１】
本発明は、自動車をはじめとする車両のクラッチ装置に組み込まれるクラッチレリーズ軸受装置の玉軸受に関するものである。
【背景技術】
【０００２】
クラッチレリーズ軸受装置は、マニュアル車（ＭＴ車）などにおいて、クラッチペダルを操作することにより、エンジンからトランスミッションへの動力の伝達或いは遮断を行うものであり、エンジンとトランスミッションとの間に介装される。
【０００３】
エンジンからトランスミッションへの動力を遮断する際、クラッチレリーズ軸受装置を軸方向移動させてクラッチディスクをフライホイールから離隔させることにより行うが、この軸方向移動させる方向でクラッチレリーズ軸受装置をプッシュタイプとプルタイプに大別することができる。プッシュタイプは、エンジンからの動力を遮断する際、クラッチレリーズ軸受装置をエンジン側に軸方向移動させるものであり、プルタイプは、クラッチレリーズ軸受装置をトランスミッション側に軸方向移動させるものである。このクラッチレリーズ軸受装置は玉軸受を備えている。
【０００４】
この玉軸受は、エンジン側の軸心とトランスミッション側の軸心との間にズレずれが生じた場合に、このズレずれに応じて径方向に移動して、両軸心を自動的に調心する。
【０００５】
図６に、ＦＲ車（車両前方にエンジンが搭載され、後輪駆動する車）に搭載されるダイ
レクトシリンダタイプ（油圧プッシュタイプ）のクラッチレリーズ軸受装置を例示する。
このクラッチレリーズ軸受装置１０１（以下軸受装置とする）は、円筒形状の外側本体１
０２と、固定部品１０３と、ピストン１０４と、クラッチレリーズ軸受装置用玉軸受１１
２（以下軸受とする）とを主要部とする。
【０００６】
外側本体１０２は、トランスミッション側（図面右側：以下リヤ側とする）がケーシン
グ１２２に取付固定されており、エンジン側（図面左側：以下フロント側とする）に延設
されたキャビティ１０８を有する。このキャビティ１０８の内周側に、環状のピストン１
０４および環状の固定部品１０３が順に軸方向移動可能に配置されている。
【０００７】
固定部品１０３は、軸方向に延びるガイドチューブ１０５から成り、フロント側は外側
本体１０２の外部へ延びている。ピストン１０４は、固定部品１０３に対して軸方向移動
可能に配置され、固定部品１０３との間に介在されたピストン支持チューブ１１３により
支持されている。このピストン１０４の外周面には予圧スプリング１２１が配置されてい
る。この予圧スプリング１２１は、軸受１１２の内輪１１５と協働するように構成され、
固定部品１０３とピストン１０４との間で作用して、軸受１１２にフロント側への予圧を
付与する。そして、軸受装置１０１の軸方向移動に関与する。
【０００８】
外側本体１０２は、その内周面１０９に凹溝１１０が形成されており、この凹溝１１０
に、ガイドチューブ１０５のリヤ側端部が径方向外側に延設されて成るラジアルエッジ１
１１が嵌合されている。
【０００９】
このラジアルエッジ１１１と、キャビティ１０８と、ピストン１０４とで中空の容積可
変チャンバ１０６が構成されている。この容積可変チャンバ１０６にはオイル等の制御流
体が封入されており、この制御流体によりキャビティ１０８の内部が加減圧されている。
また、容積可変チャンバ１０６は制御用油圧発生器（図示省略）に接続されている。
【００１０】
軸受１１２は、回転側の外輪１１４と、静止側の内輪１１５と、外輪１１４と内輪１１
５との間に介在されたボール１１６とで主要部が構成されている。外輪１１４は、フロント側端部が、径方向内側に延設されて鍔部１１９をなす。内輪１１５は、フロント側端部が、径方向内側に延設されて鍔部１２０（以下、フロント側鍔部とする）を成し、リヤ側端部が、径方向外側へ延設されて鍔部１２６（以下、リヤ側鍔部とする）をなす。なお、外輪１１４の鍔部１１９は、予圧スプリング１２１により、ダイアフラムスプリング１３０に常時当接された状態である。
【００１１】
外輪１１４と内輪１１５との間は、図７に拡大して示すように、二つの環状のシール部
材（１１７、１１８）により密封されている。このシール部材（１１７、１１８）は、芯
金をニトリルゴム等で被覆して成形されている。このシール部材（１１７、１１８）は、
軸受１１２の内部に封入されたグリースなどの潤滑成分が、軸受１１２の外部へ漏出する
のを防止する。また、軸受１１２の内部へ異物（特に泥水）が侵入するのを防止する（特
許文献１参照）。
【００１２】
エンジンからトランスミッションへの動力の伝達時は、軸受１１２の外輪鍔部１１９とダイアフラムスプリング１３０とを常時当接させた状態にし、これによりクラッチディスク（図示省略）をフライホイール（図示省略）に密着させた状態とすることで可能である。また、エンジンからトランスミッションへの動力の遮断時は、制御用油圧発生器で容積可変チャンバ１０６の制御流体を加圧して、容積可変チャンバ１０６の容積が増加するようにピストン１０４をフロント側（図面左側）に変位させることで可能である。この場合、軸受装置１０１がフロントを側に軸方向移動して、軸受１１２の外輪鍔部１１９がダイ
アフラムスプリング１３０を押圧するため、クラッチディスク（図示省略）がフライホイール（図示省略）から引き離されて、エンジンからトランスミッションへの動力伝達が遮断される。
【発明の開示】
【発明が解決しようとする課題】
【００１３】
近年のクラッチレリーズ軸受装置は、泥水に浸るような過酷な環境下で使用されること
が多く、軸受に高い耐泥水性が求められている。そのため、図７に示す軸受１１２も、高
い泥水耐性を備えている。この軸受１１２について以下に説明する。
【００１４】
軸受１１２のシール部材（１１７、１１８）は、外径端部が、外輪１１４の内面１２３
に固定され、内径端部に、主リップ（１１７ａ、１１８ａ）と補助リップ（１１７ｂ、１
１８ｂ）が設けられている。内径端部のリップのうち、主リップ（１１７ａ、１１８ａ）
は、内輪１１５の外面１２４に径方向で線接触されている。
【００１５】
この場合、外輪１１４のリヤ側端部と内輪１１５のリヤ側鍔部１２６との間に形成され
た開口部１３７を介して泥水が主リップ（１１７ａ、１１８ａ）に達しても、この泥水は
、主リップ（１１７ａ、１１８ａ）で塞き止められる。そのため、軸受１１２の内部（つ
まり、ボール１１６が介在する軸受１１２の中心部）への泥水の侵入が防止されている。
さらに、補助リップ（１１７ｂ、１１８ｂ）により、泥水が主リップ（１１７ａ、１１８
ａ）に達しにくいため、主リップ（１１７ａ、１１８ａ）の上述した機能が向上している
。
【００１６】
しかし、軸受１１２は、外輪１１４が回転して軸受１１２の内圧が上昇した際、軸受１
１２の内部の空気は、外部へ逃げようとするが、この空気は、主リップ（１１７ａ、１１
８ａ）と内輪１１５の外面１２４との間を通過するものの、内径側に突出した補助リップ
（１１７ｂ、１１８ｂ）により遮られる。そのため、軸受１１２の内圧を開放するのが困
難になり、軸受１１２の内圧が過剰に上昇する。なお、軸受１１２の内部の空気が主リッ
プ（１１７ａ、１１８ａ）と内輪１１５の外面１２４との間を通過するのは、軸受１１２
の内圧上昇により、主リップ（１１７ａ、１１８ａ）と内輪１１５の外面１２４の線接触
が解かれることによる。
【００１７】
上記のように、軸受１１２の内圧が過剰に上昇すると、シール部材（１１７、１１８）が軸受１１２から外れて外部へ飛び出そうとする。そのため、軸受スペースの都合上、外輪鍔部１１９や鍔部１２６のような、シール部材（１１７、１１８）の軸方向移動を規制する規制手段を設けることができない場合、シール部材（１１７、１１８）は、軸受１１２の外部へ飛び出すおそれがある。このように、シール部材（１１７、１１８）が軸受１１２から外れて外部へ飛び出すと、軸受１１２の内部に封入されたグリースなどの潤滑成分が軸受１１２の外部へ漏出するおそれがある。
【００１８】
また、軸受１１２の内圧が過剰に上昇すると、軸受１１２に加わるトルク（外輪１１４
を回転させる力）が大きくなる。さらに、軸受１１２に加わるトルクが、外輪鍔部１１９
とダイアフラムスプリング１３０との当接部における接触圧よりも大きくなると、外輪鍔
部１１９とダイアフラムスプリング１３０との当接部で滑りが発生するおそれがある。こ
れは、外輪鍔部１１９とダイアフラムスプリング１３０との間での円滑な動力伝達が困難
になる原因となり、軸受１１２の損傷にも繋がる。
【００１９】
なお、軸受１１２の内部へ泥水が侵入する別の方法として、補助リップ（１１７ｂ、１
１８ｂ）を設けず、主リップ（１１７ａ、１１８ａ）と内輪１１５の外面１２４の接触圧
を大きくする方法が知られている。
【００２０】
しかし、主リップ（１１７ａ、１１８ａ）と内輪１１５の外面１２４の接触圧が大きい
と、軸受１１２の内圧が上昇した際、主リップ（１１７ａ、１１８ａ）は、内輪１１５の
外面１２４との接触を解いて、軸受１１２の内圧を開放するのが困難になる。
【００２１】
以上のように、クラッチレリーズ軸受装置用玉軸受は、耐泥水性を付与する場合と、軸
受内圧の過剰な上昇を防止する場合とでは、相反する構造が求められることが多い。
【００２２】
本発明は上記の事情に鑑みてなされたものであり、内圧の過剰な上昇を防止することが
できると共に、内部に泥水が侵入するのを効率よく防止できるクラッチレリーズ軸受装置
用玉軸受を提供することを目的とする。
【課題を解決するための手段】
【００２３】
上記の課題を解決するための本発明のクラッチレリーズ軸受装置用玉軸受は、エンジンとトランスミッションとの間に配置され、回転側の外輪と、静止側の内輪と、前記外輪と前記内輪との間に介在されたボールと、エンジン側およびトランスミッション側のシール部材とを備え、この両シール部材の外径端部が前記外輪の内面に固定されると共に内径端部が前記内輪の外面に接触して、前記外輪と前記内輪との間を密封し、前記外輪および前記内輪が、それぞれ、エンジン側端部に径方向内側に延びる鍔部を有するクラッチレリーズ軸受装置用玉軸受であって、前記エンジン側のシール部材の内径端部は、前記内輪の鍔部の外端面に軸方向に接触すると共に、前記トランスミッション側のシール部材の内周面は、軸受内部側に位置する最内径部が前記内輪の外面に径方向で線接触し、前記最内径部から軸方向に沿って軸受外部側へ延び、前記最内径部から軸受外部側端部に亙って、シール部材の内径寸法を連続的に増大させる拡径領域が設けられ、前記内輪がトランスミッション側端部に径方向外側に延設された鍔部を有し、その鍔部と対向する前記トランスミッション側のシール部材の対向面に、軸受外部側に突出する凸部が設けられ、対向する前記鍔部との間に径方向に延びる隙間が形成されていることを特徴とする。ここで、「連続的に増大させる」とは、シール部材の内周面の最内径部から軸受外部側端部に亙って、局部的に縮径させることなく内径寸法を増大させることであり、軸方向と平行して延びる直線部を有することで、前記内径寸法が断続的に増大する場合を含む。
【００２４】
クラッチレリーズ軸受装置用玉軸受は、車両の走行時などに、泥水が跳ね掛けられて、
この泥水がトランスミッション側のシール部材の最内径部に達する場合がある。しかし、上記した本発明の場合、最内径部に達した泥水は、外輪の回転による遠心力で、シール部材の拡径領域に沿って、内径側に突出した部位（例えば、図７の従来例に示す補助リップ）などにより遮られることなく、軸受外部側へ流動して、軸受外部側へ跳ね飛ばされる。そのため、軸受内部（ボールが介在する軸受中心部）に泥水が侵入するのを防止することができる。また、内輪は、そのトランスミッション側端部を径方向外側に延設して鍔部とし、その鍔部と対向するトランスミッション側のシール部材の対向面に、軸受外部側に突出する凸部を設ける。この場合、トランスミッション側のシール部材の凸部と内輪の鍔部との間に径方向に延びる隙間が形成される。そのため、前記隙間により、軸受に跳ね掛けられた泥水は軸受内部へ達しにくくなる。一方、前記隙間を通過して軸受内部に侵入しようとする泥水は、外輪の回転による遠心力で、軸受外部へ跳ね飛ばされる。このように、前記隙間により、軸受内部に泥水が侵入するのを効率よく防止することができる。なお、トランスミッション側のシール部材に設けた凸部により、前記隙間の軸方向幅が狭められるため、泥水が前記隙間を通過しにくくなる。そのため、上述した作用および効果を確実に得ることができる。さらに、トランスミッション側のシール部材の最内径部は、内輪の外面に線接触させる。既に述べたように、トランスミッション側のシール部材と内輪の外面との接触圧が大きいと、軸受内圧が上昇した際、シール部材は、内輪の外面との接触を解いて軸受内圧を開放するのが困難になる。しかし、本発明の場合、トランスミッション側のシール部材の最内径部に達した泥水は、拡径領域に沿って流動して軸受外部側へ跳ね飛ばされるため、最内径部と内輪の外面との接触圧を大きくして、軸受外部からの泥水の侵入を防止する必要がない。そのため、トランスミッション側のシール部材の最内径部と内輪の外面は、線接触させて接触圧を小さくすることができる。このように、トランスミッション側のシール部材の最内径部と内輪の外面の接触圧が小さくなると、外輪が回転して軸受内圧が上昇した際、シール部材は、内輪の外面との接触を解いて軸受内圧を開放しやすくなる。そのため、軸受内圧の過剰な上昇を防止することができる。この結果、軸受内圧の過剰な上昇でシール部材が軸受から外れて、軸受内部に封入したグリースなどの潤滑成分が軸受外部へ漏出するのを確実に防止できる。また、軸受内圧の過剰な上昇で軸受に加わるトルクが増大して、軸受の正常な動力伝達に支障をきたすのを防止することができる。
【００２５】
また、本発明の場合、拡径領域により、トランスミッション側のシール部材の内周面が内輪の外面から径方向外側に離隔されるため、当該シール部材の内周面と内輪の外面との間に軸方向に延びる隙間が形成されるため、泥水は、トランスミッション側のシール部材の最内径部に達しにくい。このため、軸受内部に泥水が侵入しにくくなる。
【００２６】
前記拡径領域は、トランスミッション側のシール部材の内径寸法を軸受内部側から軸受外部側へ拡径させる拡径部と、軸方向と平行して延びる直線部とで構成することができる。
【００２７】
前記拡径領域は、トランスミッション側のシール部材の内径寸法を軸受内部側から軸受外部側へ拡径させる拡径部のみで構成するのが望ましい。
【００２８】
この発明の場合、トランスミッション側のシール部材の内周面と前記内輪の外面との間に形成される前記隙間の径寸法が、軸受外部側に向かうにつれて増大する。つまり、当該シール部材の軸受外部側のスペースが広くなる。そのため、外輪の回転による遠心力で、トランスミッション側のシール部材の拡径領域に沿って軸受外部側へ流動する泥水は、軸受外部側へ跳ね飛ばされやすくなる。この結果、軸受内部への泥水の侵入が防止されやすくなる。
【００２９】
前記した発明において、拡径部は、テーパ形状にするのが望ましい。拡径部をテーパ形
状にすると、泥水がトランスミッション側のシール部材の拡径領域に沿って軸受外部側端部へ滑らかに流動する。そのため、泥水は、軸受外部側へ跳ね飛ばされ易くなる。これにより、上記した発明の作用及び効果が向上する。
【００３２】
さらに、前記凸部の内周面は、テーパ形状にするのが望ましい。
【００３３】
この場合、凸部に達した泥水は、凸部の内周面に沿って軸受外部側へ滑らかに流動する
ため、軸受外部側に跳ね飛ばされやすくなる。このため、軸受内部に泥水が侵入しにくく
なる。
【発明の効果】
【００３９】
本発明のクラッチレリーズ軸受装置は、トランスミッション側のシール部材の最内径部に達した泥水は、外輪の回転による遠心力で、トランスミッション側のシール部材の内周面の拡径領域に沿って軸受外部側へ流動し、軸受外部側へ跳ね飛ばされる。そのため、軸受内部に泥水が侵入するのを防止することができる。
【００４０】
また、拡径領域により、トランスミッション側のシール部材の内周面と内輪の外面との間に軸方向に延びる隙間が形成されるため、軸受に泥水が跳ね掛けられても、この泥水は、前記隙間により軸受内部側の最内径部に達しにくい。このため、軸受内部に泥水が侵入しにくくなる。
【００４１】
さらに、本発明では、トランスミッション側のシール部材の最内径部に達した泥水は、拡径領域に沿って流動して軸受外部側へ跳ね飛ばされるため、軸受内部に泥水が侵入するのを防止することができる。そのため、従来のようにシールの内周面に設けるリップの数を増やしたり、シール部材（リップ）と内輪の外面の接触圧を大きくすることで、軸受内部への泥水の侵入を防止する必要がない。このため、上述した二つの手段により、外輪の回転で軸受内圧が上昇した際に、内圧開放が困難になることがない。この結果、軸受内圧の過剰な上昇で、軸受からシール部材が外れるのを防止できる。また、軸受内圧の過剰な上昇で、軸受に加わるトルクが増大して、軸受の正常な動力伝達に支障が生じるのを防止することができる。
【発明を実施するための最良の形態】
【００４２】
以下に、本発明の実施の形態について、添付の図面（図１〜図５）を参照して説明する
。なお、図６および図７に示す従来技術と重複する構造については、説明を簡素化或
いは省略する。
【００４３】
図３に、ＦＲ車に搭載され、かつ、本発明に係る玉軸受を備えたダイレクトシリンダ
タイプのクラッチレリーズ軸受装置を示す。この軸受装置１は、円筒形状の外側本体２と
、固定部品３と、ピストン４と、玉軸受１２とを主要部とする。
【００４４】
外側本体２は、トランスミッション側（図面右側：以下リヤ側とする）がケーシング２
２に取付固定されており、エンジン側（図面左側：以下フロント側とする）に延設された
キャビティ８を有する。このキャビティ８の内周側に、環状のピストン４および環状の固
定部品３が順に配置されている。
【００４５】
固定部品３は、軸方向に延びるガイドチューブ５から成り、フロント側は外側本体２の外部へ延びている。ピストン４は、固定部品３に対して軸方向移動可能に配置され、固定部品３との間に介在されたピストン支持チューブ１３により支持されている。このピストン４の外周面には予圧スプリング２１が配置されている。予圧スプリング２１は、軸受１２の内輪１５と協働するように構成されている。
【００４６】
外側本体２は、その内周面９に凹溝１０が形成されており、この凹溝１０に、ガイドチュ
ーブ５のリヤ側端部が径方向外側に延設されて成るラジアルエッジ１１が嵌合されている
。
【００４７】
このラジアルエッジ１１と、キャビティ８と、ピストン４とで中空の容積可変チャンバ
６が構成されている。この容積可変チャンバ６にはオイル等の制御流体が封入されており
、この制御流体によりキャビティ８の内部が加減圧されている。また、容積可変チャンバ
６は制御用油圧発生器（図示省略）に接続されている。                                                                                
【００４８】
図３に示す実施形態の軸受１２は、回転側の外輪１４と、静止側の内輪１５と、外輪１
４と内輪１５との間に介在されたボール１６とで主要部が構成されている。外輪１４のフロント側端部は、内径方向内側に延設されて鍔部１９を成す。内輪１５は、フロント側端部が、内径方向内側に延設されて鍔部２０（以下、フロント側鍔部とする）を成し、リヤ側端部は、径方向外側に延設されて鍔部２６（以下、リヤ側鍔部とする）をなす。なお、外輪１４の鍔部１９は、予圧スプリング２１によりダイアフラムスプリング３０に常時当接された状態である。
【００４９】
外輪１４と内輪１５との間は、図１に拡大して示すように、二つの環状のシール部材（１７、１８）により密封されている。このシール部材（１７、１８）により、軸受１２の内部に封入されたグリース等の潤滑成分が軸受１２の外部へ漏出するのが防止されてい
る。また、軸受１２の内部への泥水の侵入が防止されている。
【００５０】
シール部材（１７、１８）は、芯金（３８、３９）の周囲を水素添加ニトリルゴム（Ｈ
−ＮＢＲ）や耐熱ゴム等のニトリルゴムで被覆することにより成形されている。水素添加
ニトリルゴムは耐水性および耐摩耗性を有するため、シール部材（１７、１８）は耐水性
および耐摩耗性を具備する。なお、シール部材（１７、１８）の外径端部は、外輪１４の
内面２３に取付固定する。
【００５１】
シール部材（１７、１８）において、フロント側（図面左側）のシール部材１７の内径端部は、内輪１５の鍔部２０の外端面２５に軸方向で接触させる。
【００５２】
以下に、本発明の特徴となる点について述べる。
【００５３】
リヤ側（図面右側）のシール部材１８は、軸方向に延びる外径部１８ａと、その外径部
１８ａの軸受１２外部側（図面右側：以下、軸受外部側とする）端部から径方向内側に延
びる中間部１８ｂと、その中間部１８ｂの内径端部から軸受１２内部側（図面左側：以下
、軸受内部側とする）へ軸方向に沿って延びる内径部１８ｃとで構成され、断面逆コの字
形状をなす。この内径部１８ｃの内周面２８の軸受内部側に最内径部２９を設ける。この
最内径部２９は、内輪１５の外面２４に径方向で線接触させる。
【００５４】
このリヤ側のシール部材１８（以下リヤ側シール部材１８とする）の中間部１８ｂは、
図２に拡大して示すように、内輪１５のリヤ鍔部２６との対向面３４に、軸受外部側に突
出する凸部２７を設ける。なお、内輪１５のリヤ側鍔部２６により、外輪１４のリヤ側端
部と内輪１５のリヤ側鍔部２６との間に開口部３７が形成されると共に、内輪１５のリヤ
側鍔部２６とリヤ側シール部材１８との間に、径方向に延びる隙間３６が形成される。さ
らに、この隙間３６は、前記凸部２７により、軸方向幅が狭められている。
【００５５】
リヤ側シール部材１８の内径部１８ｃの内周面２８には、最内径部２９から軸受外部側
端部に亙って、拡径領域Ｔを設ける。
【００５６】
ここで、「拡径領域」は、最内径部２９から軸受外部側端部に亙って、リヤ側シール部
材１８の内径寸法を連続的に（つまり、局部的に内径側へ突出させることなく）増大させ
る領域のことであり、軸方向と平行して延びる直線部を有することで、前記内径寸法が断
続的に増大する場合を含む。
【００５７】
本実施形態の拡径領域Ｔは、軸受内部側から軸受外部側へリヤ側シール部材１８の内径
寸法を増大させる第一テーパ部３１（拡径部）と、直線部３２と、軸受内部側から軸受外
部側へリヤ側シール部材１８の内径寸法を増大させる第二テーパ部３３（拡径部）とを、
最内径部２９から軸方向に沿って軸受外部側へ順に連続させることにより構成する。この
ように、拡径領域Ｔは、直線部３２を含むため、リヤ側シール部材１８の内径部１８ｃの
内周面２８は、最内径部２９から軸受外部側端部に亙って内径寸法が断続的に増大する形
状をなす。
【００５８】
なお、リヤ側シール部材１８の内径部１８ｃの内周面２８は、拡径領域Ｔにより、内輪
１５の外面２４から径方向外側に離隔されることになる。そのため、リヤ側シール部材１
８の内径部１８ｃの内周面２８と内輪１５の外面２４との間には、軸方向に延びる隙間４
０が形成される。
【００５９】
本実施形態の軸受１２は、前記開口部３７から泥水が浸入して、リヤ側シール部材１８
の最内径部２９に達する場合がある。しかし、この泥水は、外輪１４の回転による遠心力
で、拡径領域Ｔに沿って、内径側に突出した部位（図７に示す補助リップ）などに遮られ
ることなく、軸受外部側へ流動し、さらに、リヤ側シール部材１８の凸部２７の内周面３
５を軸受外部側へ流動して、内輪１５のリヤ側鍔部２６へ跳ね飛ばされる。さらに、内輪
１５のリヤ側鍔部２６へ跳ね飛ばされた泥水は、外輪２の遠心力で、前記開口部３７を介
して、軸受１２の外部へ跳ね飛ばされる。
【００６０】
以上の過程により、本実施形態の軸受１２は、泥水が開口部３７を介してリヤ側シール
部材１８の最内径部２９に達しても、軸受１２の内部（つまり、ボール１６が介在する軸
受１２の中心部）に侵入するのを防止することができる。なお、内輪にリヤ側鍔部を有さ
ない軸受の場合、リヤ側シール部材の拡径領域の軸受外部側端部に達した泥水は、外輪の
回転による遠心力で、軸受の外部へそのまま跳ね飛ばされることになる。このため、軸受
の内部に泥水が侵入するのを防止することができる。
【００６１】
また、リヤ側シール部材１８の内径部１８ｃの内周面２８は、拡径領域Ｔにより、内輪
１５の外面２４から径方向外側に離隔されて、内輪１５の外面２４との間に軸方向に延び
る隙間４０を形成する。そのため、開口部３７から侵入した泥水は、最内径部２９に達し
にくくなり、これにより、軸受１２の内部に泥水が侵入しにくくなる。
【００６２】
さらに、リヤ側シール部材１８の拡径領域Ｔの拡径部（第一拡径部３１、第二拡径部３
３）は、テーパ形状であるため、開口部３７を介してリヤ側シール部材１８の最内径部２
９に達した泥水は、外輪１４の回転による遠心力で、拡径領域Ｔに沿って軸受外部側端部
へ滑らかに流動する。このため、泥水は、内輪１５のリヤ側鍔部２６に跳ね飛ばされやす
くなり、この結果、軸受１２の内部に泥水が侵入するのを効率よく防止することができる
。
【００６３】
これまでに述べたように、本実施形態の軸受１２は、リヤ側リール部材１８の内周面２
８に設けた拡径領域Ｔにより、軸受１２の内部へ泥水が侵入するのを防止することができ
る。そのため、リヤ側シール部材１８は、リヤ側シール部材１８の最内径部２９（リップ
）と内輪１５の外面２４の接触圧を大きくすることで、シール性を向上させる必要がない
。この結果、本実施形態のように、リヤ側シール部材１８の最内径部２９と内輪１５の外
面２４を線接触させて、接触圧を低減することができる。
【００６４】
上記のように、リヤ側シール部材１８の最内径部２９と内輪１５の外面２４の接触圧を
小さくすると、外輪１４の回転で軸受１２の内圧が上昇した際、リヤ側シール部材１８の
最内径部２９は、内輪１５の外面２４との接触を解きやすくなる。これにより、軸受１２
の内圧開放が容易になり、軸受１２の内圧が過剰に上昇するのを防止することができる。
【００６５】
このように、軸受１２の内圧の過剰な上昇を防止することで、軸受１２の内圧で、シー
ル部材（１７、１８）が軸受１２の外部へ飛び出そうとするのを防止できる。また、軸受
１２の内圧の過剰な上昇を防止することで、軸受１２に加わるトルク（外輪１４を回転さ
せる力）を低減できる。そのため、軸受１２のトルクが、外輪鍔部１９とダイアフラムス
プリング３０との当接部における接触圧よりも大きくなることがない。この結果、外輪鍔
部１９とダイアフラムスプリング３０との当接部で滑りが発生するのを防止して、外輪鍔
部１９とダイアフラムスプリング３０との間で動力伝達を円滑にすることが可能になる。
これに伴い、軸受１２が損傷するのを防止することができる。
【００６６】
また、図７に示す従来例で説明したように、リヤ側シール部材の内周面に設けるリップ
の数を増やすと、軸受の内圧が上昇した際、軸受内部から軸受外部へ逃げようとする空気
が、内輪の外面に接触させるリップ以外のリップ（図７に示す従来例では補助リップ）で
遮られるため、軸受内圧を開放するのが困難になる。しかし、本実施形態では、リヤ側シ
ール部材１８の内径部１８ｃに拡径領域Ｔを設けることで、軸受１２の内部に泥水が侵入
するのを防止することができるため、図７に示す従来例のように、リヤ側シール部材１８
は、内周面２８に設けるリップの数を増やしてシール性を向上させる必要がない。そのた
め、上述した軸受内圧の開放が困難になる問題が生じることがない。
【００６７】
このように、軸受１２の内圧の過剰な上昇を防止することで、軸受１２の内圧で、シー
ル部材（１７、１８）が軸受１２の外部へ飛び出そうとするのを防止できる。また、軸受
１２の内圧が過剰に上昇するのを防止することで、軸受１２に加わるトルク（外輪１４を
回転させる力）を低減することができるため、軸受１２のトルクが、外輪鍔部１９とダイ
アフラムスプリング３０との当接部における接触圧よりも大きくなることがない。この結
果、外輪鍔部１９とダイアフラムスプリング３０との当接部で滑りが発生するのを防止し
て、外輪鍔部１９とダイアフラムスプリング３０との間で動力伝達を円滑することが可能
になる。これに伴い、軸受１２が損傷するのを防止することができる。
【００６８】
さらに、本実施形態では、リヤ側シール部材１８の最内径部２９と内輪１５の外面２４
を接触させるため、仮に泥水がリヤ側シール部材１８の内径端面２８に達しても、この最
内径部２９で泥水が塞き止められる。そのため、軸受１２の内部に泥水が侵入するのを確
実に防止することができる。
【００６９】
そして、本実施形態では、リヤ側リール部材１８の対向面３４の凸部２７と内輪１５の
鍔部２６との間に、径方向に延びる隙間３６が形成されるため、開口部３７から侵入した
泥水は、リヤ側シール部材の最内径部２９に達しにくくなる。また、前記隙間３６により
、開口部３７から軸受１２の内部へ侵入しようとする泥水は、外輪１４の回転による遠心
力で、軸受１２の外部へ跳ね飛ばされる。以上により、軸受１２の内部へ泥水が侵入する
のを防止することができる。さらに、リヤ側シール部材１８の中間部１８ｂの対向面３４
に設けた凸部２７により、前記隙間３６の軸方向幅が狭められる。そのため、泥水は、隙
間３６を通過しにくくなり、上述した隙間３６の作用および効果を確実に得ることができ
る。なお、仮に泥水がリヤ側シール部材１８の最内径部２９に達しても、拡径領域Ｔによ
り、泥水を軸受１２の外部へ跳ね飛ばすことができる。このため、泥水が軸受１２の内部
に侵入することがない。
【００７０】
図４および図５に本発明の第２の実施形態を示す。なお、本実施形態において、図１〜
図３に示す第１の実施形態と同じ部位、機能、形態を有する部品については、同じ符号を
付し、その詳細な説明を省略する。
【００７１】
本実施形態のクラッチレリーズ軸受装置用玉軸受４２は、リヤ側シール部材１８の内周
面２８は、軸受内部側の最内径部２９から軸受外部側端部に亙って拡径領域Ｔを設け、こ
の拡径領域Ｔは、テーパ形状の拡径部のみで構成する。また、中間部１８ｂの対向面３４
に設ける凸部２７の内周面３５は、その内径寸法を軸受内部側端部から軸受外部側端部に
亙って拡径させるテーパ形状にする。
【００７２】
上記の構造により、泥水が、前記開口部３７を介してリヤ側シール部材１８の最内径部
２９に達しても、この泥水は、外輪１４の回転による遠心力で、リヤ側シール部材１８の
拡径領域Ｔ、凸部２７の内周面３５を順に沿って滑らかに軸受外部側へ流動するため、内
輪１５のリヤ側鍔部２６へ跳ね飛ばされやすい。さらに、この泥水は、前記開口部３７を
介して軸受４２の外部へ飛ばされる。そのため、軸受４２の内部に泥水が侵入するのを効
率よく防止できる。
【００７３】
また、リヤ側シール部材１８の拡径領域Ｔは、テーパ形状の拡径部のみで構成するため
、リヤ側シール部材１８の内周面２８の形状が単調になる。そのため、リヤ側シール部材
１８の加工性が向上する。さらに、リヤ側シール部材１８の凸部２７の内周面３５もテー
パ形状にするため、凸部２７の成形が容易になり、リヤ側シール部材の加工性の向上に寄
与する。なお、本実施形態の他の作用および効果については、図１〜図３に示す第１の実
施形態と同じであるため、その詳細な説明を省略する。
【００７４】
以上、本発明の実施形態について説明したが、これに限られることはなく、特許請求の
範囲に記載の技術的思想を逸脱しない範囲内で任意に変更が可能である。
【００７５】
例えば、ここで挙げた実施形態では、リヤ側シール部材１８に本発明を適用したが、フ
ロント側シール部材１７にも本発明を適用することができる。
【００７６】
また、図１〜図３に示す第１の実施形態、および、図４および図５に示す第２の実施形
態では、拡径部をテーパ形状にしたが、このテーパ形状に代えて、曲面形状にすることも
できる。
【図面の簡単な説明】
【００７７】
【図１】本発明の第１の実施形態を示す断面図である。本発明の実施形態を示す断面図である。
【図２】図１に示すリヤ側シール部材の拡大図である図１に示す玉軸受の拡大図である。
【図３】図１に示す玉軸受を備えたクラッチレリーズ軸受装置を示す断面図である。
【図４】本発明の第２の実施形態を示す断面図である。
【図５】図４に示すリヤ側シール部材の拡大図である。
【図６】従来のクラッチレリーズ軸受装置用玉軸受を備えたクラッチレリーズ軸受装置を示す断面図である。
【図７】図５３に示す玉軸受の拡大図である。
【符号の説明】
【００７８】
１                    クラッチレリーズ軸受装置（ダイレクトシリンダタイプ）
１２、４２            玉軸受
１４                  外輪
１５                  内輪
１６                  ボール
１７、１８            シール部材
２３                  外輪内面
２４                  内輪外面
２６                  リヤ側鍔部（内輪）
２７                  凸部（リヤ側シール部材）
２８                  内周面（リヤ側シール部材）
２９                  最内径部
３１、３３            テーパ部（拡径領域）
３２                  直線部（拡径領域）
３４                  対向面（リヤ側シール部材）
３５                  内周面（凸部）
Ｔ                    拡径領域（リヤ側シール部材）                                                                           
【図１】
0005191798.tif 000002
【図２】
0005191798.tif 000003
【図３】
0005191798.tif 000004
【図４】
0005191798.tif 000005
【図５】
0005191798.tif 000006
【図６】
0005191798.tif 000007
【図７】
0005191798.tif 000008